(57)【要約】【課題】折り畳んだ状態で外部から着信履歴を見ることができる折り畳み式携帯電話装置を提供する。【解決手段】ヒンジ３によって互いに折り畳み可能な筐体１及び２と、筐体１及び２が折り畳まれた状態で外部から視認できるサブＬＣＤ８と、筐体１及び２が折り畳まれた状態で外部からの入力操作が可能なサブキー入力部９と、サブキー入力部によって入力される情報に応じてサブＬＣＤ８に着信履歴を表示させる制御回路（図示せず）と、を備える折り畳み式携帯電話装置。【選択図】      図１
2004159206.tif 000002
【特許請求の範囲】
【請求項１】
折り畳み可能な本体筐体と、
前記本体筐体が折り畳まれた状態で外部から視認できる表示手段と、
前記本体筐体が折り畳まれた状態で外部からの入力操作が可能な入力手段と、
前記入力手段によって入力される情報に応じて前記表示手段に着信履歴を表示させる制御手段と、
を備えることを特徴とする折り畳み式携帯電話装置。
【請求項２】
前記着信履歴が音声着信の履歴である請求項１に記載の折り畳み式携帯電話装置。
【請求項３】
前記着信履歴がメール受信の履歴である請求項１に記載の折り畳み式携帯電話装置。
【請求項４】
前記本体筐体が折り畳まれた状態では外部から視認できないが前記本体筐体が折り畳まれていない状態では外部から視認できる第２の表示手段と、
前記本体筐体が折り畳まれた状態であるか否かを検出する検出手段と、
前記表示手段にメール受信の履歴が表示されているときに、前記本体筐体が折り畳まれた状態から折り畳まれていない状態になったことが前記検出手段によって検出されると、前記本体筐体が折り畳まれた状態において前記表示手段に履歴表示されていたメールに対応するメールの本文を前記第２の表示手段に表示させる第２の制御手段と、
を備える請求項３に記載の折り畳み式携帯電話装置。
【請求項５】
折り畳み可能な本体筐体と、
前記本体筐体が折り畳まれた状態で外部から視認できる表示手段と、
前記本体筐体が折り畳まれた状態で外部からの入力操作が可能な入力手段と、
着信があった場合に着信があった旨を前記表示手段に表示させ、前記入力手段によって入力される情報に応じて前記表示手段の表示を着信があった旨から発呼者情報又は発信者情報に切り替える制御手段と、
を備えることを特徴とする折り畳み式携帯電話装置。
【請求項６】
電話番号及び／又はメールアドレスに対応した名前データを予め格納する記憶手段と、
前記着信履歴を前記名前データに基づいて発呼者又は発信者の名前を含む着信履歴にするか、前記着信履歴を発呼者又は発信者の名前を含まない着信履歴するかを選択する選択手段と、
を備える請求項１〜４のいずれかに記載の折り畳み式携帯電話装置。
【発明の詳細な説明】
【０００１】
【発明の属する技術分野】
本発明は、折り畳み式携帯電話装置に関するものである。
【０００２】
【従来の技術】
携帯電話装置において、電子メールや非音声情報サービスの文字を数多く表示するために表示画面の大型化が求められている。このため、使うときには開いて大きく使うことができ、使わないときは二つに折り畳んでコンパクトに持ち運ぶことができる折り畳み式携帯電話装置が普及している。折り畳み式携帯電話装置は折り畳んだ状態では表示面を外部から見ることができないため、折り畳んだ状態のままでは受信した発呼者情報を知ることができなかった。したがって、ユーザは発呼者情報を知りたい場合折り畳み式携帯電話装置を開かなければならないが、発呼者情報を確認した結果すぐに連絡をとる必要のない発呼者であった場合は通話を行わずに即座に折り畳み式携帯電話装置を二つに折り畳むことになり、発呼者情報を確認するために折り畳み式携帯電話装置を開く作業が無駄になる場合があった。
【０００３】
このような問題を解決するために、特許文献１に開示されている折り畳み式携帯電話装置は、本体筐体の外面に設けた表示手段に発呼者情報を表示することによって、折り畳んだ状態で外部から発呼者の電話番号や発呼者の名称を含む着信情報を見ることができるようにしている。
【０００４】
【特許文献１】
特開２００１−１３６２４７号公報  （段落００１４−００１７、第１図）
【特許文献２】
特開平８−２７４８６３号公報
【０００５】
【発明が解決しようとする課題】
しかしながら、特許文献１に開示されている折り畳み式携帯電話装置は複数の着信があった場合については何ら考慮されていない。すなわち、折り畳んだ状態で着信履歴を見ることができなかった。このため、着信履歴を見るためには折り畳み式携帯電話装置を開いて確認する必要があった。そして、着信履歴を確認した結果全てすぐに連絡を取る必要のない発呼者であった場合、着信履歴を確認するために折り畳み式携帯電話装置を開く作業が無駄になっていた。
【０００６】
また、特許文献１に開示されている折り畳み式携帯電話装置は、着信があった後直ちに本体筐体の外面に設けた表示手段に発呼者情報を表示するので、所有者の不在時に第三者によって簡単に発呼者情報を見られてしまうおそれがあり、折り畳み式携帯電話装置の所有者のプライバシー保護が十分ではなかった。
【０００７】
本発明は、上記の問題点に鑑み、折り畳んだ状態で外部から着信履歴を見ることができる折り畳み式携帯電話装置を提供することを第一の目的とする。また、本発明は、上記の問題点に鑑み、折り畳んだ状態で外部から着信情報を見ることができ、所有者のプライバシー保護を図ることができる折り畳み式携帯電話装置を提供することを第二の目的とする。
【０００８】
【課題を解決するための手段】
上記第一の目的を達成するために、本発明に係る折り畳み式携帯電話装置においては、折り畳み可能な本体筐体と、前記本体筐体が折り畳まれた状態で外部から視認できる表示手段と、前記本体筐体が折り畳まれた状態で外部からの入力操作が可能な入力手段と、前記入力手段によって入力される情報に応じて前記表示手段に着信履歴を表示させる制御手段と、を備える構成とする。また、前記着信履歴は音声着信の履歴であってもよく、メール受信の履歴であってもよい。
【０００９】
これにより、ユーザが入力手段に対して入力操作を行うことによって、折り畳んだ状態で外部から着信履歴を見ることができる。したがって、着信履歴を見るために折り畳み式携帯電話装置を開いて確認する必要がなくなり、利便性が向上する。
【００１０】
また、上記構成の折り畳み式携帯電話装置において、前記本体筐体が折り畳まれた状態では外部から視認できないが前記本体筐体が折り畳まれていない状態では外部から視認できる第２の表示手段と、前記本体筐体が折り畳まれた状態であるか否かを検出する検出手段と、前記表示手段にメール受信の履歴が表示されているときに、前記本体筐体が折り畳まれた状態から折り畳まれていない状態になったことが前記検出手段によって検出されると、前記本体筐体が折り畳まれた状態において前記表示手段に履歴表示されていたメールに対応するメールの本文を前記第２の表示手段に表示させる第２の制御手段と、を備えるようにしてもよい。
【００１１】
これにより、ユーザが、本体筐体が折り畳まれた状態でメール受信の履歴を表示手段の表示によって確認し、その確認の結果表示手段に履歴表示されていたメールの詳細を知りたい場合は本体筐体を開けるだけで何ら入力操作を行わずにメールの本文を第２の表示手段によって見ることができるので、さらに利便性が向上する。
【００１２】
上記第二の目的を達成するために、本発明に係る折り畳み式携帯電話装置においては、折り畳み可能な本体筐体と、前記本体筐体が折り畳まれた状態で外部から視認できる表示手段と、前記本体筐体が折り畳まれた状態で外部からの入力操作が可能な入力手段と、着信があった場合に着信があった旨を前記表示手段に表示させ、前記入力手段によって入力される情報に応じて前記表示手段の表示を着信があった旨から発呼者情報又は発信者情報に切り替える制御手段と、を備える構成とする。
【００１３】
これにより、着信があった後、入力手段が操作されなければ、本体筐体の外面に設けた表示手段に発呼者情報が表示されることはないので、所有者の不在時に第三者によって発呼者情報を見られてしまう可能性が低くなる。したがって、特許文献１の折り畳み式携帯電話装置に比べて、折り畳み式携帯電話装置の所有者のプライバシー保護を図ることができる。
【００１４】
しかしながら、上述した本発明に係る折り畳み式携帯電話装置では、折り畳んだ状態のままで入力手段の操作を行いさえすれば、比較的簡単に所有者の不在時に第三者によって発呼者や発信者の名前を見られてしまうおそれがある。そこで、上記第二の目的をより確実に達成するための本発明に係る折り畳み式携帯電話装置では、上記第一の目的を達成するための折り畳み式携帯電話装置において、電話番号及び／又はメールアドレスに対応した名前データを予め格納する記憶手段と、前記着信履歴を前記名前データに基づいて発呼者又は発信者の名前を含む着信履歴にするか、前記着信履歴を発呼者又は発信者の名前を含まない着信履歴するかを選択する選択手段と、を備えるようにするとよい。
【００１５】
これにより、発呼者又は発信者の名前を含む着信履歴を折り畳んだ状態で外部から着信履歴を見ることができるうえに、所有者が折り畳み式携帯電話装置から離れる場合などには敢えて発呼者又は発信者の名前を含まない着信履歴を表示することもできる。したがって、所有者の不在時に第三者によって発呼者又は発信者の名前を含む着信履歴を見られてしまうおそれがなくなり、折り畳み式携帯電話装置の所有者のプライバシー保護を図ることができる。
【００１６】
【発明の実施の形態】
以下に本発明の一実施形態について図面を参照して説明する。本発明に係る折り畳み式携帯電話装置の外観斜視図を図１に示す。図１（ａ）は開いた状態での本発明に係る折り畳み式携帯電話装置の外観斜視図であり、図１（ｂ）は折り畳んだ状態での本発明に係る折り畳み式携帯電話装置の外観斜視図である。
【００１７】
本発明に係る折り畳み式携帯電話装置は、筐体１と筐体２とがヒンジ３によって互いに折り畳み可能な折り畳み構造の携帯電話装置である。筐体１は、正面にメインＬＣＤ（Ｌｉｑｕｉｄ  Ｃｒｙｓｔａｌ  Ｄｉｓｐｌａｙ）４及びスピーカ６を有し、背面にサブＬＣＤ８、サブキー入力部９、及びカメラ部１１を有する。一方、筐体２は、正面にメインキー入力部５及びマイクロフォン７を有し、背面にアンテナ１０を有する。なお、サブキー入力部９は、背面左右キー９ａと、背面決定キー９ｂと、背面左右キー９ｃとを有する。
【００１８】
本発明に係る折り畳み式携帯電話装置は、折り畳まれる際には筐体１の正面と筐体２の正面とが内側になって折り畳まれる。したがって、折り畳んだ状態ではメインＬＣＤ４を見ることができないうえにメインキー入力部５を操作することもできないが、折り畳んだ状態であってもサブＬＣＤ８を見ることはできるうえにサブキー入力部９を操作することもできる。
【００１９】
続いて本発明に係る折り畳み式携帯電話装置の回路ブロック図を図２に示す。なお、図１と同一の部分には同一の符号を付す。ＣＰＵ１６はプログラム格納用ＲＯＭ１５に格納されているプログラムに基づいてメインキー入力部５又はサブキー入力部９から出力される信号に応じて携帯電話装置全体の制御を行う。また、ＬＣＤ表示データが作業用メモリ１３で作成されたのち、表示用メモリ１２に送られる。表示用メモリ１２に格納された画像がメインＬＣＤ４又はサブＬＣＤ８に表示される。また、ＣＰＵ１６は接触スイッチ等の開閉検出部１７から出力される信号によって折り畳まれているか否かを検出することができる。また、送受信回路１８によって復調された音声信号は音声制御回路１９を介してスピーカ６に送られ、音声制御回路１９によって増幅されたマイクロフォン７の出力信号は送受信回路１８によって変調されたのち送信される。さらに、メインキー入力部５のシャッターキーが押されると、ＣＰＵ１６は、カメラ部１１に被写体を撮像させ、カメラ部１１が作成した画像データを作業用メモリ１３においてＪＰＥＧ（Ｊｏｉｎｔ  Ｐｈｏｔｏｇｒａｐｈｉｃ  Ｅｘｐｅｒｔｓ  Ｇｒｏｕｐ）方式で圧縮し、ＪＰＥＧ形式の画像データとし、そのＪＰＥＧ形式の画像データを保存用メモリ１４に格納する。
【００２０】
そして、保存用メモリ１４には、相手・画像表示設定のＯＮ／ＯＦＦ設定、電話帳使用禁止のＯＮ／ＯＦＦ設定、着信履歴／リダイヤル表示のＯＮ／ＯＦＦ設定、メールセキュリティのＯＮ／ＯＦＦ設定、電話帳データ、着信履歴データ、及び受信完了メールのデータ等が格納される。相手・画像表示設定のＯＮ／ＯＦＦ設定、電話帳使用禁止のＯＮ／ＯＦＦ設定、着信履歴／リダイヤル表示のＯＮ／ＯＦＦ設定、メールセキュリティのＯＮ／ＯＦＦ設定は、メインキー入力部５をユーザが操作することによって切り替えることができる。電話帳データは、各々の電話番号に対して氏名、画像、背景色、メロディ音、メールアドレスが関連付けされているデータである。着信履歴データは音声着信に応答しなかった場合の発呼者電話番号及び着信日時の履歴データである。また、相手・画像表示設定のＯＦＦ、電話帳使用禁止のＯＮ、着信履歴／リダイヤル表示のＯＦＦ、メールセキュリティのＯＮは、個人情報の保護を目的とする設定である。
【００２１】
ここで、音声着信に関する設定がデフォルト設定（相手・画像表示設定ＯＮ、電話帳使用禁止ＯＦＦ、着信履歴／リダイヤル表示ＯＮ）になっている場合の動作について説明する。デフォルト設定になっている本発明に係る折り畳み式携帯電話装置の折り畳まれている状態での音声着信に関する動作フローチャートを図３に示し、このときのサブＬＣＤ８の表示画面を図４に示す。
【００２２】
本発明に係る折り畳み式携帯電話装置が折り畳まれてフローが開始されると、図４（ａ）に示す待受画面がサブＬＣＤ８に表示される（ステップＳ１）。なお、図４（ａ）に示す待受画面中の時刻表示は当然の事ながら時々刻々と変化する。そして、ＣＰＵ１６が送受信回路１８の出力信号に基づいて音声着信が有るか否かを判定する（ステップＳ２）。音声着信がなければ（ステップＳ２のＮｏ）、ステップＳ１に移行する。一方、音声着信があれば（ステップＳ２のＹｅｓ）、発呼者電話番号情報を受信し、発呼者電話番号情報を保存用メモリ１４に格納している電話帳データの電話番号と照合し、発呼者電話番号情報と一致する電話番号に対応するメロディ音、氏名、背景色、及び画像を読み出し、読み出したメロディ音で鳴動するとともに、音声着信が有ってから発呼者が呼び出しを諦めて着信が終了するまでの間、図４（ｂ）に示す読み出した氏名及び背景色に応じた画面と図４（ｃ）に示す読み出した画像に応じた画面とが３秒おきに交互にサブＬＣＤ８に表示される（ステップＳ３、ステップＳ４のＮｏ）。なお、図４（ｂ）に示す画面中の＜アニメ＞の部分にはアニメ動画像が表示され、図４（ｂ）に示す画面の背景色は保存用メモリ１４から読み出した背景色になっており、図４（ｃ）に示す画面では保存用メモリ１４から読み出した読み出した画像が全画面表示されている。また、発呼者電話番号情報と一致する電話番号に対応するメロディ音が設定されていないときはデフォルトのメロディ音で鳴動し、発呼者電話番号情報と一致する電話番号に対応する氏名が設定されていないときは氏名の代わりに発呼者電話番号を表示し、発呼者電話番号情報と一致する電話番号に対応する背景色が設定されていないときはデフォルトの背景色にし、発呼者電話番号情報と一致する電話番号に対応する画像が設定されていないときは図４（ｃ）に示す表示画面は表示されない。
【００２３】
そして、発呼者が呼び出しを諦めて着信が終了すると（ステップＳ４のＹｅｓ）、保存用メモリ１４に格納している着信履歴データを更新したのち（ステップＳ５）、図４（ｄ）に示すような着信があったことを報知する画面がサブＬＣＤ８に表示される（ステップＳ６）。なお、図４（ｄ）に示す画面中の＜停止アニメ＞の部分にはアニメ静止画像が表示される。
【００２４】
続くステップＳ７では、背面決定キー９ｂが押下されたか否かをＣＰＵ１６が判定する。背面決定キー９ｂが押下されていなければ（ステップＳ７のＮｏ）、ステップＳ６に移行する。一方、背面決定キー９ｂが押下されていれば（ステップＳ７のＹｅｓ）、図４（ｅ）に示す着信情報の画面がサブＬＣＤ８に表示されたのち（ステップＳ８）、ステップＳ９に移行する。なお、図４（ｅ）に示す着信情報の画面は、着信履歴データの中で最も古い着信情報の画面である。また、図４（ｅ）に示す着信情報の画面の背景色は、保存用メモリ１４に格納されている電話帳データ中の「山田太郎」に対応する背景色になっている。
【００２５】
ステップＳ９では、背面左右キー９ａ又は９ｃが押下されたか否かをＣＰＵ１６が判定する。背面左右キー９ａ又は９ｃが押下されていれば（ステップＳ９のＹｅｓ）、背面左右キー９ａ又は９ｃが押下される前に表示されていた着信情報の一つ前又は一つ後の着信情報がサブＬＣＤ８に画面表示されたのち（ステップＳ１０）、ステップＳ１１に移行する。例えば、背面左右キー９ｃが押下されると、図４（ｅ）に示す着信情報の画面から図４（ｆ）に示す着信情報の画面に切り替わる。一方、背面左右キー９ａ又は９ｃが押下されていなければ（ステップＳ９のＮｏ）、直接ステップＳ１１に移行する。また、図４（ｆ）に示す着信情報の画面の背景色は、保存用メモリ１４に格納されている電話帳データ中の「鈴木花子」に対応する背景色になっている。
【００２６】
ステップＳ１１では、背面決定キー９ｂが押下されたか否かをＣＰＵ１６が判定する。背面決定キー９ｂが押下されていなければ（ステップＳ１１のＮｏ）、ステップＳ９に移行する。一方、背面決定キー９ｂが押下されていれば（ステップＳ１１のＹｅｓ）、ステップＳ１に移行する。
【００２７】
なお、鳴動中（ステップＳ３）に、本発明に係る折り畳み式携帯電話装置を開いて通話を始めると、図３のフローから抜け出す。また、ステップ１において、メール着信があれば図３のフローから抜け出してメール受信動作を行う。また、ステップＳ６〜ステップＳ１３において、間欠受信をしており、音声着信があればステップＳ３に移行し、メール着信があれば図３のフローから抜け出してメール受信動作を行う。また、ステップＳ８又はステップＳ１０において、本発明に係る折り畳み式携帯電話装置を開くと、サブＬＣＤ８に表示されている着信情報の詳細をメインＬＣＤ４に表示する。例えば、図４（ｅ）に示す表示画面がサブＬＣＤ８に表示されているときに本発明に係る折り畳み式携帯電話装置を開くと、図４（ｇ）に示す表示画面がメインＬＣＤ４に表示される。
【００２８】
次に、デフォルト設定（相手・画像表示設定ＯＮ、電話帳使用禁止ＯＦＦ、着信履歴／リダイヤル表示ＯＮ）から相手・画像表示設定のみを変更した場合、すなわち相手・画像表示設定がＯＦＦになっている場合の動作について説明する。相手・画像表示設定がＯＦＦになっている本発明に係る折り畳み式携帯電話装置の折り畳まれている状態での音声着信に関する動作フローチャートを図５に示し、このときのサブＬＣＤの表示画面を図６に示す。
【００２９】
本発明に係る折り畳み式携帯電話装置が折り畳まれてフローが開始されると、図６（ａ）に示す待受画面がサブＬＣＤ８に表示される（ステップＳ２１）。なお、図６（ａ）に示す待受画面中の時刻表示は当然の事ながら時々刻々と変化する。そして、ＣＰＵ１６が送受信回路１８の出力信号に基づいて音声着信が有るか否かを判定する（ステップＳ２２）。音声着信がなければ（ステップＳ２２のＮｏ）、ステップＳ２１に移行する。一方、音声着信があれば（ステップＳ２２のＹｅｓ）、発呼者電話番号情報を受信し、発呼者電話番号情報を保存用メモリ１４に格納している電話帳データの電話番号と照合し、発呼者電話番号情報と一致する電話番号に対応するメロディ音及び背景色を読み出し、読み出したメロディ音で鳴動するとともに、音声着信が有ってから発呼者が呼び出しを諦めて着信が終了するまでの間、図６（ｂ）に示す読み出した背景色に応じた画面がサブＬＣＤ８に表示される（ステップＳ２３、ステップＳ２４のＮｏ）。なお、図６（ｂ）に示す画面中の＜アニメ＞の部分にはアニメ動画像が表示され、図６（ｂ）に示す画面の背景色は保存用メモリ１４から読み出した背景色になっている。また、発呼者電話番号情報と一致する電話番号に対応するメロディ音が設定されていないときはデフォルトのメロディ音で鳴動し、発呼者電話番号情報と一致する電話番号に対応する背景色が設定されていないときはデフォルトの背景色にする。
【００３０】
そして、発呼者が呼び出しを諦めて着信が終了すると（ステップＳ２４のＹｅｓ）、保存用メモリ１４に格納している着信履歴データを更新したのち（ステップＳ２５）、図６（ｃ）に示すような着信があったことを報知する画面がサブＬＣＤ８に表示される（ステップＳ２６）。なお、図６（ｃ）に示す画面中の＜停止アニメ＞の部分にはアニメ静止画像が表示される。
【００３１】
続くステップＳ２７では、背面決定キー９ｂが押下されたか否かをＣＰＵ１６が判定する。背面決定キー９ｂが押下されていなければ（ステップＳ２７のＮｏ）、ステップＳ２６に移行する。一方、背面決定キー９ｂが押下されていれば（ステップＳ２７のＹｅｓ）、エラー音が報知されるとともに図６（ｄ）に示すメッセージ画面がサブＬＣＤ８に表示される（ステップＳ２８）。そして、図６（ｄ）に示すメッセージ画面がサブＬＣＤ８に表示されてから３秒経過すると、ステップＳ２６に移行する。なお、図６（ｄ）に示すメッセージ画面がサブＬＣＤ８に表示されている期間中、背面左右キー９ａ又は９ｃが押下されてもサブＬＣＤ８の表示画面は図６（ｄ）に示すメッセージ画面のままである。
【００３２】
また、鳴動中（ステップＳ２３）に、本発明に係る折り畳み式携帯電話装置を開いて通話を始めると、図５のフローから抜け出す。また、ステップ２１において、メール着信があればメール着信があれば図５のフローから抜け出してメール受信動作を行う。また、ステップＳ２６〜ステップＳ２８において、間欠受信をしており、音声着信があればステップＳ２３に移行し、メール着信があればメール着信があれば図３のフローから抜け出してメール受信動作を行う。
【００３３】
次に、デフォルト設定（相手・画像表示設定ＯＮ、電話帳使用禁止ＯＦＦ、着信履歴／リダイヤル表示ＯＮ）から電話帳使用禁止のみを変更した場合、すなわち電話帳使用禁止がＯＮになっている場合の動作について説明する。電話帳使用禁止がＯＮになっている本発明に係る折り畳み式携帯電話装置の折り畳まれている状態での音声着信に関する動作フローチャートを図７に示し、このときのサブＬＣＤの表示画面を図８に示す。
【００３４】
本発明に係る折り畳み式携帯電話装置が折り畳まれてフローが開始されると、図８（ａ）に示す待受画面がサブＬＣＤ８に表示される（ステップＳ３１）。なお、図８（ａ）に示す待受画面中の時刻表示は当然の事ながら時々刻々と変化する。そして、ＣＰＵ１６が送受信回路１８の出力信号に基づいて音声着信が有るか否かを判定する（ステップＳ３２）。音声着信がなければ（ステップＳ３２のＮｏ）、ステップＳ３１に移行する。一方、音声着信があれば（ステップＳ３２のＹｅｓ）、デフォルトのメロディ音で鳴動するとともに、音声着信が有ってから発呼者が呼び出しを諦めて着信が終了するまでの間、図８（ｂ）に示す着信中を報知する画面がサブＬＣＤ８に表示される（ステップＳ３３、ステップＳ３４のＮｏ）。なお、図８（ｂ）に示す画面中の＜アニメ＞の部分にはアニメ動画像が表示され、図８（ｂ）に示す画面の背景色はデフォルトの背景色になっている。
【００３５】
そして、発呼者が呼び出しを諦めて着信が終了すると（ステップＳ３４のＹｅｓ）、受信した発呼者電話番号情報に基づいて保存用メモリ１４に格納している着信履歴データを更新したのち（ステップＳ３５）、図８（ｃ）に示すような着信があったことを報知する画面がサブＬＣＤ８に表示される（ステップＳ３６）。なお、図８（ｃ）に示す画面中の＜停止アニメ＞の部分にはアニメ静止画像が表示される。
【００３６】
続くステップＳ３７では、背面決定キー９ｂが押下されたか否かをＣＰＵ１６が判定する。背面決定キー９ｂが押下されていなければ（ステップＳ３７のＮｏ）、ステップＳ３６に移行する。一方、背面決定キー９ｂが押下されていれば（ステップＳ３７のＹｅｓ）、図８（ｄ）に示す着信情報の画面がサブＬＣＤ８に表示されたのち（ステップＳ３８）、ステップＳ３９に移行する。なお、図８（ｄ）に示す着信情報の画面は、着信履歴データの中で最も古い着信情報の画面である。また、図８（ｄ）に示す着信情報の画面の背景色は、デフォルトの背景色になっている。
【００３７】
ステップＳ３９では、背面左右キー９ａ又は９ｃが押下されたか否かをＣＰＵ１６が判定する。背面左右キー９ａ又は９ｃが押下されていれば（ステップＳ３９のＹｅｓ）、背面左右キー９ａ又は９ｃが押下される前に表示されていた着信情報の一つ前又は一つ後の着信情報がサブＬＣＤ８に画面表示されたのち（ステップＳ４０）、ステップＳ４１に移行する。例えば、背面左右キー９ｃが押圧されると、図８（ｄ）に示す着信情報の画面から図８（ｅ）に示す着信情報の画面に切り替わる。なお、図８（ｅ）に示す着信情報の画面の背景色は、デフォルトの背景色になっている。一方、背面左右キー９ａ又は９ｃが押下されていなければ（ステップＳ３９のＮｏ）、直接ステップＳ４１に移行する。
【００３８】
ステップＳ４１では、背面決定キー９ｂが押下されたか否かをＣＰＵ１６が判定する。背面決定キー９ｂが押下されていなければ（ステップＳ４１のＮｏ）、ステップＳ３９に移行する。一方、背面決定キー９ｂが押下されていれば（ステップＳ４１のＹｅｓ）、ステップＳ３１に移行する。
【００３９】
なお、鳴動中（ステップＳ３３）に、本発明に係る折り畳み式携帯電話装置を開いて通話を始めると、図７のフローから抜け出す。また、ステップＳ３１において、メール着信があれば図７のフローから抜け出してメール受信動作を行う。また、ステップＳ３６〜ステップＳ４３において、間欠受信をしており、音声着信があればステップＳ３３に移行し、メール着信があれば図７のフローから抜け出してメール受信動作を行う。
【００４０】
デフォルト設定では、折り畳み式携帯電話装置を折り畳んだ状態でもユーザーはサブキー入力部９の操作によって発呼者の名前を含む着信履歴をサブＬＣＤ８に表示させることができ、ユーザーにとって大変便利であった。しかしながら、デフォルト設定では、サブキー入力部９の操作をするだけで、折り畳み式携帯電話装置を折り畳んだ状態で誰でも簡単に発呼者の名前を含む着信履歴を見ることが可能であるため、折り畳み式携帯電話装置の所有者が不在の時に、第三者によって簡単に発呼者の名前を含む着信履歴が見られてしまうおそれがあった。電話帳使用禁止ＯＮ設定にすることにより、このような問題点が解決されて所有者のプライバシーが保護されるので、折り畳み式携帯電話装置の所有者は安心して折り畳み式携帯電話装置から離れることができる。また、所有者が折り畳み式携帯電話装置を所持している場合であっても、例えば混雑時の電車内や友人・知人が集まっている場所等で着信履歴を確認する場合に、名前でなく電話番号が表示されるので、他の人に覗き見されても発呼者が誰であるかが分かりづらいという利点も有する。
【００４１】
次に、デフォルト設定（相手・画像表示設定ＯＮ、電話帳使用禁止ＯＦＦ、着信履歴／リダイヤル表示ＯＮ）から着信履歴／リダイヤル表示のみを変更した場合、すなわち着信履歴／リダイヤル表示がＯＦＦになっている場合の動作について説明する。着信履歴／リダイヤル表示がＯＦＦになっている本発明に係る折り畳み式携帯電話装置の折り畳まれている状態での音声着信に関する動作フローチャートを図９に示し、このときのサブＬＣＤの表示画面を図１０に示す。
【００４２】
本発明に係る折り畳み式携帯電話装置が折り畳まれてフローが開始されると、図１０（ａ）に示す待受画面がサブＬＣＤ８に表示される（ステップＳ５１）。そして、ＣＰＵ１６が送受信回路１８の出力信号に基づいて音声着信が有るか否かを判定する（ステップＳ５２）。音声着信がなければ（ステップＳ５２のＮｏ）、ステップＳ５１に移行する。一方、音声着信があれば（ステップＳ５２のＹｅｓ）、発呼者電話番号情報を受信し、発呼者電話番号情報を保存用メモリ１４に格納している電話帳データの電話番号と照合し、発呼者電話番号情報と一致する電話番号に対応するメロディ音、氏名、及び背景色を読み出し、読み出したメロディ音で鳴動するとともに、音声着信が有ってから発呼者が呼び出しを諦めて着信が終了するまでの間、図１０（ｂ）に示す読み出した氏名及び背景色に応じた画面がサブＬＣＤ８に表示される（ステップＳ５３、ステップＳ５４のＮｏ）。なお、図１０（ｂ）に示す画面中の＜アニメ＞の部分にはアニメ動画像が表示され、図１０（ｂ）に示す画面の背景色は保存用メモリ１４から読み出した背景色になっている。また、発呼者電話番号情報と一致する電話番号に対応するメロディ音が設定されていないときはデフォルトのメロディ音で鳴動し、発呼者電話番号情報と一致する電話番号に対応する氏名が設定されていないときは氏名の代わりに発呼者電話番号を表示し、発呼者電話番号情報と一致する電話番号に対応する背景色が設定されていないときはデフォルトの背景色にする。
【００４３】
そして、発呼者が呼び出しを諦めて着信が終了すると（ステップＳ５４のＹｅｓ）、保存用メモリ１４に格納している着信履歴データを更新したのち（ステップＳ５５）、図１０（ｃ）に示すような着信があったことを報知する画面がサブＬＣＤ８に表示される（ステップＳ５６）。なお、図１０（ｃ）に示す画面中の＜停止アニメ＞の部分にはアニメ静止画像が表示される。
【００４４】
続くステップＳ５７では、背面決定キー９ｂが押下されたか否かをＣＰＵ１６が判定する。背面決定キー９ｂが押下されていなければ（ステップＳ５７のＮｏ）、ステップＳ５６に移行する。一方、背面決定キー９ｂが押下されていれば（ステップＳ５７のＹｅｓ）、エラー音が報知されるとともに図１０（ｄ）に示すメッセージ画面がサブＬＣＤ８に表示される（ステップＳ５８）。そして、図１０（ｄ）に示すメッセージ画面がサブＬＣＤ８に表示されてから３秒経過すると、ステップＳ５１に移行する。なお、図１０（ｄ）に示すメッセージ画面がサブＬＣＤ８に表示されている期間中、背面左右キー９ａ又は９ｃが押下されてもサブＬＣＤ８の表示画面は図１０（ｄ）に示すメッセージ画面のままである。
【００４５】
なお、鳴動中（ステップＳ５３）に、本発明に係る折り畳み式携帯電話装置を開いて通話を始めると、図９のフローから抜け出す。また、ステップＳ５１において、メール着信があれば後述する図９のフローから抜け出してメール受信動作を行う。また、ステップＳ５６〜ステップＳ５８において、間欠受信をしており、音声着信があればステップＳ５３に移行し、メール着信があれば図９のフローから抜け出してメール受信動作を行う。
【００４６】
上述した図５、図７、及び図９に示したフロー動作は、デフォルト設定から１つの設定のみを変更した場合であったが、デフォルト設定から複数の設定を変更した場合はＣＰＵ１６が図１１の表に示す優先順位でサブＬＣＤ８の表示画面を決定する。なお、優先順位は×＞△＞○であり、例えば相手・画像表示設定がＯＦＦ、電話帳使用禁止がＯＮ、着信履歴／リダイヤル表示がＯＦＦの場合、サブＬＣＤ８の着信中表示は図６（ｂ）に示す表示画面となる。
【００４７】
本発明に係る折り畳み式携帯電話装置は、上述した音声着信に関する動作とともにメール着信に関する動作も行っている。ここで、メール着信に関する設定がデフォルト設定（相手・画像表示設定ＯＮ、電話帳使用禁止ＯＦＦ、メールセキュリティＯＦＦ）になっている場合の動作について説明する。デフォルト設定になっている本発明に係る折り畳み式携帯電話装置の折り畳まれている状態でのメール着信に関する動作フローチャートを図１２に示し、このときのサブＬＣＤ８の表示画面を図１３に示す。なお、図１３に示す表示画面の背景色は、デフォルトの背景色になっている。
【００４８】
本発明に係る折り畳み式携帯電話装置が折り畳まれてフローが開始されると、図１３（ａ）に示す待受画面がサブＬＣＤ８に表示される（ステップＳ６１）。なお、図１３（ａ）に示す待受画面中の時刻表示は当然の事ながら時々刻々と変化する。そして、ＣＰＵ１６が送受信回路１８の出力信号に基づいてメール着信が有るか否かを判定する（ステップＳ６２）。メール着信がなければ（ステップＳ６２のＮｏ）、ステップＳ６１に移行する。一方、メール着信があれば（ステップＳ６２のＹｅｓ）、鳴動したのち（ステップＳ６３）、メールの受信が完了するまでの間、図１３（ｂ）に示す画面がサブＬＣＤ８に表示される（ステップＳ６４、ステップＳ６５のＮｏ）。なお、図１３（ｂ）に示す画面中の＜アニメ＞の部分にはアニメ動画像が表示される。
【００４９】
そして、メールの受信が完了すると（ステップＳ６５のＹｅｓ）、図１３（ｃ）に示すような受信完了メールの件数をメールの種類毎に報知する画面がサブＬＣＤ８に表示される（ステップＳ６６）。
【００５０】
続くステップＳ６７では、背面左右キー９ａ又は９ｃが押下されたか否かをＣＰＵ１６が判定する。背面左右キー９ａ又は９ｃが押下されていれば（ステップＳ６７のＹｅｓ）、サブＬＣＤ８の画面に表示されているカーソルが移動したのち（ステップＳ６８）、ステップＳ６９に移行する。例えば、図１３（ｃ）に示す表示画面のときに背面左右キー９ｃが押下されると図１３（ｄ）に示す表示画面に変わり、図１３（ｄ）に示す表示画面のときに背面左右キー９ｃが押下されると図１３（ｅ）に示す表示画面に変わり、図１３（ｅ）に示す表示画面のときに背面左右キー９ｃが押下されると図１３（ｃ）に示す表示画面に変わり、図１３（ｄ）に示す表示画面のときに背面左右キー９ａが押下されると図１３（ｃ）に示す表示画面に変わる。一方、背面左右キー９ａ又は９ｃが押下されていなければ（ステップＳ６７のＮｏ）、直接ステップＳ６９に移行する。
【００５１】
ステップＳ６９では、背面決定キー９ｂが押下されたか否かをＣＰＵ１６が判定する。背面決定キー９ｂが押下されていれば（ステップＳ６９のＹｅｓ）、ステップＳ７１に移行する。一方、背面決定キー９ｂが押下されていなければ（ステップＳ６９のＮｏ）、ユーザーが背面左右キー９ａ、９ｃ又は背面決定キー９ｂを操作した後、操作した時点を起点として無操作の時間をカウントし、その無操作の時間が３０秒継続するか否かをＣＰＵ１６が判定する（ステップＳ７０）。無操作の時間が３０秒継続すれば（ステップＳ７０のＹｅｓ）、ステップＳ６１に移行する。無操作の時間が３０秒継続しなければ（ステップＳ７０のＮｏ）、ステップＳ６７に移行する。
【００５２】
ステップＳ７１では、ＣＰＵ１６が、受信したメールの送信元メールアドレスを保存用メモリ１４に格納している電話帳データのメールアドレスと照合し、送信元メールアドレスと一致するメールアドレスに対応する氏名を保存用メモリから読み出す。そして、その読み出した氏名を発信者として図１３（ｆ）に示すメール情報（発信者、メールのヘッダ情報（件名）、及び受信完了時刻）の画面がサブＬＣＤ８に表示され、その後ステップＳ７２に移行する。なお、図１３（ｆ）に示すような画面は、カーソルによって選択されているメールの種類の中で最も古く受信したメールに関するメール情報の画面である。また、電話帳データに送信元メールアドレスと一致するメールアドレスがない場合は氏名を読み込むことができないので、氏名の代わりにメールアドレスを表示する。
【００５３】
ステップＳ７２では、背面左右キー９ａ又は９ｃが押下されたか否かをＣＰＵ１６が判定する。背面左右キー９ａ又は９ｃが押下されていれば（ステップＳ７２のＹｅｓ）、背面左右キー９ａ又は９ｃが押下される前に表示されていたメール情報の一つ前又は一つ後に受信したメールのメール情報がサブＬＣＤ８に画面表示されたのち（ステップＳ７３）、ステップＳ７４に移行する。例えば、背面左右キー９ｃが押圧されると、図１３（ｆ）に示すメール情報の画面から図１３（ｇ）に示すメール情報の画面に切り替わる。一方、背面左右キー９ａ又は９ｃが押下されていなければ（ステップＳ７２のＮｏ）、直接ステップＳ７４に移行する。
【００５４】
ステップＳ７４では、背面決定キー９ｂが押下されたか否かをＣＰＵ１６が判定する。背面左右キー９ｂが押下されていなければ（ステップＳ７４のＮｏ）、ステップＳ７２に移行する。一方、背面左右キー９ｂが押下されていれば（ステップＳ７４のＹｅｓ）、ステップＳ６１に移行する。
【００５５】
なお、フロー動作中に音声着信があると、図１２のフローから抜け出す。また、ステップＳ７１又はステップＳ７３において、本発明に係る折り畳み式携帯電話装置を開くと、サブＬＣＤ８に表示されているメール情報の詳細がメインＬＣＤ４に表示される。例えば、図１３（ｆ）に示す表示画面がサブＬＣＤ８に表示されているときに本発明に係る折り畳み式携帯電話装置を開くと、図１３（ｈ）に示すようなメール本文の表示を含む表示画面がメインＬＣＤ４に表示される。
【００５６】
次に、デフォルト設定（相手・画像表示設定ＯＮ、電話帳使用禁止ＯＦＦ、メールセキュリティＯＦＦ）から相手・画像表示設定のみを変更した場合、すなわち相手・画像表示設定がＯＦＦになっている場合の動作について説明する。相手・画像表示設定がＯＦＦになっている本発明に係る折り畳み式携帯電話装置の折り畳まれている状態でのメール着信に関する動作フローチャートを図１４に示し、このときのサブＬＣＤの表示画面を図１５に示す。なお、図１５に示す表示画面の背景色は、デフォルトの背景色になっている。
【００５７】
本発明に係る折り畳み式携帯電話装置が折り畳まれてフローが開始されると、図１５（ａ）に示す待受画面がサブＬＣＤ８に表示される（ステップＳ８１）。なお、図１５（ａ）に示す待受画面中の時刻表示は当然の事ながら時々刻々と変化する。そして、ＣＰＵ１６が送受信回路１８の出力信号に基づいてメール着信が有るか否かを判定する（ステップＳ８２）。メール着信がなければ（ステップＳ８２のＮｏ）、ステップＳ８１に移行する。一方、メール着信があれば（ステップＳ８２のＹｅｓ）、鳴動したのち（ステップＳ８３）、メールの受信が完了するまでの間、図１５（ｂ）に示す画面がサブＬＣＤ８に表示される（ステップＳ８４、ステップＳ８５のＮｏ）。なお、図１５（ｂ）に示す画面中の＜アニメ＞の部分にはアニメ動画像が表示される。
【００５８】
そして、メールの受信が完了すると（ステップＳ８５のＹｅｓ）、図１５（ｃ）に示すような受信完了メールの件数をメールの種類毎に報知する画面がサブＬＣＤ８に表示される（ステップＳ８６）。
【００５９】
続くステップＳ８７では、背面決定キー９ｂが押下されたか否かをＣＰＵ１６が判定する。背面決定キー９ｂが押下されていなければ（ステップＳ８７のＮｏ）、ユーザーが背面左右キー９ａ、９ｃ又は背面決定キー９ｂを操作した後、操作した時点を起点として無操作の時間をカウントし、その無操作の時間が３０秒継続するか否かをＣＰＵ１６が判定する（ステップＳ８９）。無操作の時間が３０秒継続していれば（ステップＳ８９のＹｅｓ）、ステップＳ８１に移行する。無操作の時間が３０秒継続していなければ（ステップＳ８９のＮｏ）、ステップＳ８７に移行する。一方、背面決定キー９ｂが押下されていれば（ステップＳ８７のＹｅｓ）、図１５（ｆ）に示すメッセージ画面がサブＬＣＤ８に表示される（ステップＳ８８）。そして、図１５（ｆ）に示すメッセージ画面がサブＬＣＤ８に表示されてから３秒経過すると、ステップＳ８１に移行する。なお、図１５（ｆ）に示すメッセージ画面がサブＬＣＤ８に表示されている期間中、背面左右キー９ａ又は９ｃが押下されてもサブＬＣＤ８の表示画面は図１５（ｆ）に示すメッセージ画面のままである。また、フロー動作中に音声着信があると、図１４のフローから抜け出す。
【００６０】
次に、デフォルト設定（相手・画像表示設定ＯＮ、電話帳使用禁止ＯＦＦ、メールセキュリティＯＦＦ）から電話帳使用禁止のみを変更した場合、すなわち電話帳使用禁止がＯＮになっている場合の動作について説明する。電話帳使用禁止がＯＮになっている本発明に係る折り畳み式携帯電話装置の折り畳まれている状態でのメール着信に関する動作フローチャートを図１６に示し、このときのサブＬＣＤの表示画面を図１７に示す。なお、図１７に示す表示画面の背景色は、デフォルトの背景色になっている。
【００６１】
本発明に係る折り畳み式携帯電話装置が折り畳まれてフローが開始されると、図１７（ａ）に示す待受画面がサブＬＣＤ８に表示される（ステップＳ１０１）。なお、図１７（ａ）に示す待受画面中の時刻表示は当然の事ながら時々刻々と変化する。そして、ＣＰＵ１６が送受信回路１８の出力信号に基づいてメール着信が有るか否かを判定する（ステップＳ１０２）。メール着信がなければ（ステップＳ１０２のＮｏ）、ステップＳ１０１に移行する。一方、メール着信があれば（ステップＳ１０２のＹｅｓ）、鳴動したのち（ステップＳ１０３）、メールの受信が完了するまでの間、図１７（ｂ）に示す画面がサブＬＣＤ８に表示される（ステップＳ１０４、ステップＳ１０５のＮｏ）。なお、図１７（ｂ）に示す画面中の＜アニメ＞の部分にはアニメ動画像が表示される。
【００６２】
そして、メールの受信が完了すると（ステップＳ１０５のＹｅｓ）、図１７（ｃ）に示すような受信完了メールの件数をメールの種類毎に報知する画面がサブＬＣＤ８に表示される（ステップＳ１０６）。
【００６３】
続くステップＳ１０７では、背面左右キー９ａ又は９ｃが押下されたか否かをＣＰＵ１６が判定する。背面左右キー９ａ又は９ｃが押下されていれば（ステップＳ１０７のＹｅｓ）、サブＬＣＤ８の画面に表示されているカーソルが移動したのち（ステップＳ１０８）、ステップＳ１０９に移行する。例えば、図１７（ｃ）に示す表示画面のときに背面左右キー９ｃが押下されると図１７（ｄ）に示す表示画面に変わり、図１７（ｄ）に示す表示画面のときに背面左右キー９ｃが押下されると図１７（ｅ）に示す表示画面に変わり、図１７（ｅ）に示す表示画面のときに背面左右キー９ｃが押下されると図１７（ｃ）に示す表示画面に変わり、図１７（ｄ）に示す表示画面のときに背面左右キー９ａが押下されると図１７（ｃ）に示す表示画面に変わる。一方、背面左右キー９ａ又は９ｃが押下されていなければ（ステップＳ１０７のＮｏ）、直接ステップＳ１０９に移行する。
【００６４】
ステップＳ１０９では、背面決定キー９ｂが押下されたか否かをＣＰＵ１６が判定する。背面決定キー９ｂが押下されていれば（ステップＳ１０９のＹｅｓ）、ステップＳ１１１に移行する。一方、背面決定キー９ｂが押下されていなければ（ステップＳ１０９のＮｏ）、ユーザーが背面左右キー９ａ、９ｃ又は背面決定キー９ｂを操作した後、操作した時点を起点として無操作の時間をカウントし、その無操作の時間が３０秒継続するか否かをＣＰＵ１６が判定する（ステップＳ１１０）。無操作の時間が３０秒継続していれば（ステップＳ１１０のＹｅｓ）、ステップＳ１０１に移行する。無操作の時間が３０秒継続していなければ（ステップＳ１１０のＮｏ）、ステップＳ１０７に移行する。
【００６５】
ステップＳ１１１では、図１７（ｆ）に示すメール情報（発信元のメールアドレス、メールのヘッダ情報、及び受信完了時刻）の画面がサブＬＣＤ８に表示され、その後ステップＳ１１２に移行する。なお、図１７（ｆ）に示すような画面は、カーソルによって選択されているメールの種類の中で最も古く受信したメールに関するメール情報の画面である。
【００６６】
ステップＳ１１２では、背面左右キー９ａ又は９ｃが押下されたか否かをＣＰＵ１６が判定する。背面左右キー９ａ又は９ｃが押下されていれば（ステップＳ１１２のＹｅｓ）、背面左右キー９ａ又は９ｃが押下される前に表示されていたメール情報の一つ前又は一つ後に受信したメールのメール情報がサブＬＣＤ８に画面表示されたのち（ステップＳ１１３）、ステップＳ１１４に移行する。例えば、背面左右キー９ｃが押圧されると、図１７（ｆ）に示す着信情報の画面から図１７（ｇ）に示す着信情報の画面に切り替わる。一方、背面左右キー９ａ又は９ｃが押下されていなければ（ステップＳ１１２のＮｏ）、直接ステップＳ１１４に移行する。
【００６７】
ステップＳ１１４では、背面決定キー９ｂが押下されたか否かをＣＰＵ１６が判定する。背面左右キー９ｂが押下されていなければ（ステップＳ１１４のＮｏ）、ステップＳ１１２に移行する。一方、背面左右キー９ｂが押下されていれば（ステップＳ１１４のＹｅｓ）、ステップＳ１０１に移行する。また、フロー動作中に音声着信があると、図１６のフローから抜け出す。
【００６８】
デフォルト設定では、折り畳み式携帯電話装置を折り畳んだ状態でもユーザーはサブキー入力部９の操作によってメール発信者の名前を含む着信履歴をサブＬＣＤ８に表示させることができ、ユーザーにとって大変便利であった。しかしながら、デフォルト設定では、サブキー入力部９の操作をするだけで、折り畳み式携帯電話装置を折り畳んだ状態で誰でも簡単にメール発信者の名前を含む着信履歴を見ることが可能であるため、折り畳み式携帯電話装置の所有者が不在の時に、第三者によって簡単にメール発信者の名前を含む着信履歴が見られてしまうおそれがあった。電話帳使用禁止ＯＮ設定にすることにより、このような問題点が解決されて所有者のプライバシーが保護されるので、折り畳み式携帯電話装置の所有者は安心して折り畳み式携帯電話装置から離れることができる。また、所有者が折り畳み式携帯電話装置を所持している場合であっても、例えば混雑時の電車内や友人・知人が集まっている場所等で着信履歴を確認する場合に、名前でなくメールアドレスが表示されるので、他の人に覗き見されてもメール発信者が誰であるかが分かりづらいという利点も有する。
【００６９】
次に、デフォルト設定（相手・画像表示設定ＯＮ、電話帳使用禁止ＯＦＦ、メールセキュリティＯＦＦ）からメールセキュリティのみを変更した場合、すなわちメールセキュリティがＯＮになっている場合の動作について説明する。メールセキュリティがＯＮになっている本発明に係る折り畳み式携帯電話装置の折り畳まれている状態でのメール着信に関する動作フローチャートを図１８に示し、このときのサブＬＣＤの表示画面を図１９に示す。なお、図１９に示す表示画面の背景色は、デフォルトの背景色になっている。
【００７０】
本発明に係る折り畳み式携帯電話装置が折り畳まれてフローが開始されると、図１９（ａ）に示す待受画面がサブＬＣＤ８に表示される（ステップＳ１２１）。なお、図１９（ａ）に示す待受画面中の時刻表示は当然の事ながら時々刻々と変化する。そして、ＣＰＵ１６が送受信回路１８の出力信号に基づいてメール着信が有るか否かを判定する（ステップＳ１２２）。メール着信がなければ（ステップＳ１２２のＮｏ）、ステップＳ１２１に移行する。一方、メール着信があれば（ステップＳ１２２のＹｅｓ）、鳴動したのち（ステップＳ１２３）、メールの受信が完了するまでの間、図１９（ｂ）に示す画面がサブＬＣＤ８に表示される（ステップＳ１２４、ステップＳ１２５のＮｏ）。なお、図１９（ｂ）に示す画面中の＜アニメ＞の部分にはアニメ動画像が表示される。
【００７１】
そして、メールの受信が完了すると（ステップＳ１２５のＹｅｓ）、図１９（ｃ）に示すような受信完了メールの件数をメールの種類毎に報知する画面がサブＬＣＤ８に表示される（ステップＳ１２６）。
【００７２】
続くステップＳ１２７では、背面左右キー９ａ又は９ｃが押下されたか否かをＣＰＵ１６が判定する。背面左右キー９ａ又は９ｃが押下されていれば（ステップＳ１２７のＹｅｓ）、サブＬＣＤ８の画面に表示されているカーソルが移動したのち（ステップＳ１２８）、ステップＳ１２９に移行する。例えば、図１９（ｃ）に示す表示画面のときに背面左右キー９ｃが押下されると図１９（ｄ）に示す表示画面に変わり、図１９（ｄ）に示す表示画面のときに背面左右キー９ｃが押下されると図１９（ｅ）に示す表示画面に変わり、図１９（ｅ）に示す表示画面のときに背面左右キー９ｃが押下されると図１９（ｃ）に示す表示画面に変わり、図１９（ｄ）に示す表示画面のときに背面左右キー９ａが押下されると図１９（ｃ）に示す表示画面に変わる。一方、背面左右キー９ａ又は９ｃが押下されていなければ（ステップＳ１２７のＮｏ）、直接ステップＳ１２９に移行する。
【００７３】
ステップＳ１２９では、背面決定キー９ｂが押下されたか否かをＣＰＵ１６が判定する。背面決定キー９ｂが押下されていれば（ステップＳ１２９のＹｅｓ）、ステップＳ１２７に移行する。一方、背面決定キー９ｂが押下されていなければ（ステップＳ１２９のＮｏ）、ユーザーが背面左右キー９ａ、９ｃ又は背面決定キー９ｂを操作した後、操作した時点を起点として無操作の時間をカウントし、その無操作の時間が３０秒継続するか否かをＣＰＵ１６が判定する（ステップＳ１３０）。無操作の時間が３０秒継続していれば（ステップＳ１３０のＹｅｓ）、ステップＳ１２１に移行する。無操作の時間が３０秒継続していなければ（ステップＳ１３０のＮｏ）、ステップＳ１２７に移行する。なお、フロー動作中に音声着信があると、図１８のフローから抜け出す。
【００７４】
上述した図１４、図１６、及び図１８に示したフロー動作は、デフォルト設定から１つの設定のみを変更した場合であったが、デフォルト設定から複数の設定を変更した場合はＣＰＵ１６が図２０の表に示す優先順位でサブＬＣＤ８の表示画面を決定する。なお、優先順位は×＞△＞○である。
【００７５】
なお、本実施形態では相手・画像表示設定、電話帳使用禁止のＯＮ／ＯＦＦは音声着信とメール着信とで共通にするが、音声着信とメール着信とで別個にＯＮ／ＯＦＦ設定ができるようにしても構わない。
【００７６】
また、本実施形態では相手・画像表示設定はサブＬＣＤ８のみを対象とし、電話帳使用禁止、着信履歴／リダイヤル表示、メールセキュリティは、サブＬＣＤ８及びメインＬＣＤ４を対象とするが、本発明はこれに限定されるものではない。
【００７７】
また、本実施形態では電話帳使用禁止のＯＮ／ＯＦＦ、着信履歴／リダイヤル表示のＯＮ／ＯＦＦを切り替える場合暗証番号の入力を必要とするが、本発明はこれに限定されるものではない。暗証番号の入力を必要とすることによって、個人情報保護のセキュリティを向上させることができる。
【００７８】
【発明の効果】
本発明によると、折り畳んだ状態で外部から着信履歴を見ることができる折り畳み式携帯電話装置を実現することができる。また、本発明によると、折り畳んだ状態で外部から着信情報を見ることができ、所有者のプライバシー保護を図ることができる折り畳み式携帯電話装置を実現することができる。
【図面の簡単な説明】
【図１】本発明に係る折り畳み式携帯電話装置の外観斜視図である。
【図２】本発明に係る折り畳み式携帯電話装置の回路ブロック図である。
【図３】デフォルト設定になっている本発明に係る折り畳み式携帯電話装置の折り畳まれている状態での音声着信に関する動作フローチャートである。
【図４】図３に示すフロー動作中のサブＬＣＤの表示画面を示す図である。
【図５】相手・画像表示設定がＯＦＦになっている本発明に係る折り畳み式携帯電話装置の折り畳まれている状態での音声着信に関する動作フローチャートである。
【図６】図５に示すフロー動作中のサブＬＣＤの表示画面を示す図である。
【図７】電話帳使用禁止がＯＮになっている本発明に係る折り畳み式携帯電話装置の折り畳まれている状態での音声着信に関する動作フローチャートである。
【図８】図７に示すフロー動作中のサブＬＣＤの表示画面を示す図である。
【図９】着信履歴／リダイヤル表示がＯＦＦになっている本発明に係る折り畳み式携帯電話装置の折り畳まれている状態での音声着信に関する動作フローチャートである。
【図１０】図９に示すフロー動作中のサブＬＣＤの表示画面を示す図である。
【図１１】デフォルト設定から複数の設定を変更した場合の音声着信に関する表示の優先順位を示す図である。
【図１２】デフォルト設定になっている本発明に係る折り畳み式携帯電話装置の折り畳まれている状態でのメール着信に関する動作フローチャートである。
【図１３】図１２に示すフロー動作中のサブＬＣＤの表示画面を示す図である。
【図１４】相手・画像表示設定がＯＦＦになっている本発明に係る折り畳み式携帯電話装置の折り畳まれている状態でのメール着信に関する動作フローチャートである。
【図１５】図１４に示すフロー動作中のサブＬＣＤの表示画面を示す図である。
【図１６】電話帳使用禁止がＯＮになっている本発明に係る折り畳み式携帯電話装置の折り畳まれている状態でのメール着信に関する動作フローチャートである。
【図１７】図１６に示すフロー動作中のサブＬＣＤの表示画面を示す図である。
【図１８】メールセキュリティがＯＮになっている本発明に係る折り畳み式携帯電話装置の折り畳まれている状態での音声着信に関する動作フローチャートである。
【図１９】図１８に示すフロー動作中のサブＬＣＤの表示画面を示す図である。
【図２０】デフォルト設定から複数の設定を変更した場合のメール着信に関する表示の優先順位を示す図である。
【符号の説明】
１、２  筐体
３  ヒンジ
４  メインＬＣＤ
５  メインキー入力部
８  サブＬＣＤ
９  サブキー入力部
１６  ＣＰＵ
１７  開閉検出部
１８  送受信回路
【図１】
2004159206.tif 000003
【図２】
2004159206.tif 000004
【図３】
2004159206.tif 000005
【図４】
2004159206.tif 000006
【図５】
2004159206.tif 000007
【図６】
2004159206.tif 000008
【図７】
2004159206.tif 000009
【図８】
2004159206.tif 000010
【図９】
2004159206.tif 000011
【図１０】
2004159206.tif 000012
【図１１】
2004159206.tif 000013
【図１２】
2004159206.tif 000014
【図１３】
2004159206.tif 000015
【図１４】
2004159206.tif 000016
【図１５】
2004159206.tif 000017
【図１６】
2004159206.tif 000018
【図１７】
2004159206.tif 000019
【図１８】
2004159206.tif 000020
【図１９】
2004159206.tif 000021
【図２０】
2004159206.tif 000022